(57)【特許請求の範囲】
【請求項１】
ケース本体と、前記ケース本体の上面から立設したボルトと、一端部にボルト挿通孔が設けられ、他端部に電線接続部が設けられ、中央部が屈曲されており、前記ボルト挿通孔に前記ボルトが通されるとともに前記ボルトにナットが螺合されることにより前記ケース本体に固定される端子と、前記端子を取り付けたサイドカバーと、を備え、前記サイドカバーが前記ケース本体の側面に装着されることにより前記端子のボルト挿通孔に前記ボルトが通される電気接続箱において、
前記サイドカバーに、
枠状に形成され、内側に前記端子を通して該端子の中央部を支持するフックと、
前記フックから突出し、前記端子の幅方向両縁に当接して前記端子がその幅方向に振れることを規制する一対の振れ規制部と、が設けられている
ことを特徴とする電気接続箱。
【発明の詳細な説明】
【技術分野】
【０００１】
本発明は、自動車に搭載される電気接続箱に関するものである。
【背景技術】
【０００２】
自動車には多種多様な電子機器が搭載されている。これら多種多様な電子機器に電力供給及び信号伝達を行うために、前記自動車には、適宜箇所に電気接続箱が配置されている（特許文献１を参照。）。
【０００３】
図８は従来の電気接続箱を示す斜視図である。図９は図８に示されたサイドカバー及び端子の平面図である。この電気接続箱２０１は、ケース本体２０２と、ケース本体２０２の上面から立設したボルト３と、ケース本体２０２に組み付けられたバスバ７と、電源線８に接続された端子４と、端子４を取り付けたサイドカバー２０５と、を備えている。
【０００４】
上記ボルト３は、頭部がケース本体２０２に固定されており、軸部がバスバ７に設けられたボルト挿通孔を通された状態でケース本体２０２の上面から立設している。また軸部には、図示しないナットが螺合される。このボルト３は、バスバ７と該バスバ７に重ねられる端子４とをナットとの間に挟んでバスバ７と端子４とが電気接続された状態を維持するためのものである。
【０００５】
上記端子４は、金属板にプレス加工等が施されることにより得られるものであり、一端部にボルト挿通孔４０が設けられ、他端部に電線接続部４３が設けられ、中央部が屈曲されている。本明細書においては、端子４の一端部におけるボルト挿通孔４０が設けられた平らな部分を「バスバ接続部」と呼び符号４１を付す。また、端子４の中央部における屈曲された部分を「屈曲部」と呼び符号４２を付す。バスバ接続部４１は、上記バスバ７に重ねられて上記ボルト３及びナットによりケース本体２０２に固定される部分である。
【０００６】
上記サイドカバー２０５には、ケース本体２０２の側面に装着されてケース本体２０２の外壁を構成するカバー本体２５０と、枠状に形成され、内側に端子４を通して該端子４の屈曲部４２を支持するフック２５１と、が設けられている。また、フック２５１の上端部には、屈曲部４２の幅とほぼ等しい幅の切り欠き２５２が設けられており、この切り欠き２５２内に屈曲部４２が位置付けられることによって端子４が位置決めされるようになっている。
【０００７】
また、このサイドカバー２０５に端子４を取り付ける際は、バスバ接続部４１をカバー本体２５０と平行になるように立てた状態で、該バスバ接続部４１をフック２５１の下方からフック２５１内に通し、その状態から端子４を９０度回転させるようにして取り付ける。
【０００８】
この電気接続箱２０１においては、端子４を取り付けたサイドカバー２０５がボルト３の立設方向に沿ってケース本体２０２の側面に装着されることにより、端子４のボルト挿通孔４０にボルト３が通される。また、該ボルト３にナットが螺合されることにより、端子４がケース本体２０２に固定されるとともに端子４とバスバ７との接続状態が維持される。
【先行技術文献】
【特許文献】
【０００９】
【特許文献１】特開平６−３１０１９８号公報
【発明の概要】
【発明が解決しようとする課題】
【００１０】
しかしながら、上述した従来の電気接続箱２０１においては、サイドカバー２０５に取り付けられた端子４のバスバ接続部４１がその幅方向（矢印Ａ方向）に振られてしまい、サイドカバー２０５をケース本体２０２に装着する際にボルト挿通孔４０にボルト３が通り難く作業性が悪いという問題があった。なお、サイドカバー２０５には、上述したように端子４を位置決めするための切り欠き２５２が一応設けられていたが、この切り欠き２５２と端子４の幅方向両端部とは、図９中の矢印Ｆ，Ｇで示す部位にて点接触するのみであり、このような構造では端子４の振れを完全に抑制することができなかった。
【００１１】
したがって、本発明は、サイドカバーに取り付けられた端子の振れを抑制することで、該端子のボルト挿通孔にボルトを通す際の作業性を向上させることができる電気接続箱を提供することを目的とする。
【課題を解決するための手段】
【００１２】
上記目的を達成するために請求項１に記載された発明は、ケース本体と、前記ケース本体の上面から立設したボルトと、一端部にボルト挿通孔が設けられ、他端部に電線接続部が設けられ、中央部が屈曲されており、前記ボルト挿通孔に前記ボルトが通されるとともに前記ボルトにナットが螺合されることにより前記ケース本体に固定される端子と、前記端子を取り付けたサイドカバーと、を備え、前記サイドカバーが前記ケース本体の側面に装着されることにより前記端子のボルト挿通孔に前記ボルトが通される電気接続箱において、前記サイドカバーに、枠状に形成され、内側に前記端子を通して該端子の中央部を支持するフックと、前記フックから突出し、前記端子の幅方向両縁に当接して前記端子がその幅方向に振れることを規制する一対の振れ規制部と、が設けられていることを特徴とする電気接続箱である。
【発明の効果】
【００１３】
請求項１に記載された発明によれば、前記サイドカバーに、枠状に形成され、内側に前記端子を通して該端子の中央部を支持するフックと、前記フックから突出し、前記端子の幅方向両縁に当接して前記端子がその幅方向に振れることを規制する一対の振れ規制部と、が設けられているので、端子のボルト挿通孔にボルトを通す際の作業性を向上させることができる電気接続箱を提供することができる。
【図面の簡単な説明】
【００１４】
【図１】本発明の一実施形態にかかる電気接続箱を示す斜視図である。
【図２】図１に示された電気接続箱の分解図である。
【図３】図１に示されたサイドカバー及び端子の平面図である。
【図４】図１に示されたサイドカバーの斜視図である。
【図５】図４に示されたサイドカバーの平面図である。
【図６】図１に示された端子及び電線の斜視図である。
【図７】図６に示された端子及び電線の平面図である。
【図８】従来の電気接続箱を示す斜視図である。
【図９】図８に示されたサイドカバー及び端子の平面図である。
【発明を実施するための形態】
【００１５】
本発明の一実施形態にかかる「電気接続箱」を図１〜７を参照して説明する。
【００１６】
本発明の電気接続箱１は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１７】
この電気接続箱１は、図１，２に示すように、ケース本体２と、ケース本体２に組み付けられたカセットブロック６と、カセットブロック６に組み付けられたバスバ７と、カセットブロック６に組み付けられたボルトブロック１０と、電源線８に接続された端子４と、端子４を取り付けた状態でケース本体２の側面２ｃに装着されるサイドカバー５と、カセットブロック６に取り付けられた図示しない複数の電子部品と、ケース本体２の上面２ａに装着される図示しないアッパーカバーと、ケース本体２の下面２ｂに装着される図示しないロアカバーと、を備えている。
【００１８】
上記ケース本体２は、合成樹脂で構成されており、外壁２１と、外壁２１の内側を仕切った隔壁２２と、を有している。また、外壁２１におけるサイドカバー５が装着される部分には、切り欠き２１ａが設けられている。
【００１９】
上記カセットブロック６は、合成樹脂で構成されており、ブロック状に形成されている。このカセットブロック６には、バスバ７の後述する端子接続部７１及び端子４の後述するバスバ接続部４１が位置付けられる電源接続部６１、リレーが装着されるリレー装着部６２、ヒューズが装着されるヒューズ装着部６３、ケース本体２に係止する係止部６４等が設けられている。また、電源接続部６１には、カセットブロック６の内部に組み付けられるバスバ７の端子接続部７１を露出させる開口部６０が設けられている。このカセットブロック６は、図２中の矢印Ｃで示すように、下面２ｂ側からケース本体２に組み付けられる。
【００２０】
上記バスバ７は、端子４と電気接続されることで入力された電力をリレー、ヒューズ等を介して複数の電線（不図示）に分岐する配線部材であり、金属板にプレス加工等が施されることにより得られるものである。このバスバ７には、端子４と電気接続される端子接続部７１、リレーと電気接続されるリレー接続部７２、ヒューズと電気接続されるヒューズ接続部７３等が設けられている。また、端子接続部７１は、板状に形成されており、ボルト挿通孔７０が設けられている。
【００２１】
上記ボルトブロック１０は、頭部３１及び軸部３２を有するボルト３と、頭部３１に取り付けられた樹脂部材９と、で構成されている。このボルトブロック１０の樹脂部材９がカセットブロック６に組み付けられ、カセットブロック６がケース本体２に組み付けられることにより、ボルト３の軸部３２がバスバ７のボルト挿通孔７０を通された状態でケース本体２の上面２ａから立設する。この軸部３２には、図示しないナットが螺合される。また、ボルト３は、バスバ７と該バスバ７に重ねられる端子４とをナットとの間に挟んでバスバ７と端子４とが電気接続された状態を維持するためのものである。
【００２２】
上記電源線８は、バッテリ、オルタネータ等の電源から電気接続箱１のバスバ７に電力を供給する電線であり、図７に示すように、芯線８１とこの芯線８１を被覆した絶縁外皮８２とで構成されている。
【００２３】
上記端子４は、金属板にプレス加工等が施されることにより得られるものである。この端子４は、図６，７に示すように、一端部にボルト挿通孔４０が設けられ、他端部に電線接続部４３が設けられ、中央部が屈曲されている。本明細書においては、端子４の一端部におけるボルト挿通孔４０が設けられた平らな部分を「バスバ接続部」と呼び符号４１を付す。また、端子４の中央部における屈曲された部分を「屈曲部」と呼び符号４２を付す。バスバ接続部４１は、上記バスバ７に重ねられて上記ボルト３及びナットによりケース本体２に固定される部分である。電線接続部４３は、屈曲部４２から延び、電源線８を表面に位置付ける板部４３ｃと、電源線８の芯線８１をかしめる一対の芯線かしめ片４３ａと、電源線８の絶縁外皮８２をかしめる一対の絶縁外皮かしめ片４３ｂと、で構成されている。
【００２４】
上記サイドカバー５は、合成樹脂で構成されている。図４，５に示すように、サイドカバー５には、上記切り欠き２１ａを塞ぐようにケース本体２の側面２ｃに装着されてケース本体２の外壁２１を構成するカバー本体５０と、枠状に形成され、内側に端子４を通して該端子４の屈曲部４２を支持するフック５１と、フック５１から突出し、端子４の幅方向両縁に当接して端子４がその幅方向（図１，３中の矢印Ａ方向）に振れることを規制する一対の振れ規制部５３と、が設けられている。また、フック５１の上端部には、屈曲部４２の幅とほぼ等しい幅の切り欠き５２が設けられている。
【００２５】
上記フック５１は、カバー本体５０の内面に連なっている。上記一対の振れ規制部５３は、棒状に形成されており、フック５１における切り欠き５２の両側の部分からカバー本体５０と反対側に突出している。また、切り欠き５２の内面（端子４の幅方向両縁と当接する部分）と各振れ規制部５３の外面とは面一に形成されている。このような切り欠き５２内に屈曲部４２が位置付けられるとともに一対の振れ規制部５３間にバスバ接続部４１の一端が位置付けられることによって端子４が位置決めされるようになっている。
【００２６】
また、このサイドカバー５に端子４を取り付ける際は、バスバ接続部４１をカバー本体５０と平行になるように立てた状態で、該バスバ接続部４１をフック５１の下方からフック５１内に通し、その状態から端子４を９０度回転させるようにして取り付ける。
【００２７】
このように、本発明では、サイドカバー５に一対の振れ規制部５３が設けられている。このことにより、図３に示すように、フック５１と振れ規制部５３との双方が、端子４の幅方向両縁に当接して該端子４の振れを規制するので、確実に端子４の振れを抑制することができる。すなわち、従来品のサイドカバーにおいては、端子４の幅方向両縁に当接する部分の長さが、フック５１における樹脂の厚みｄのみであったが、本発明のサイドカバー５においては、端子４の幅方向両縁に当接する部分の長さが、フック５１における樹脂の厚みｄと振れ規制部５３の突出量ｅとを合わせた長さとなるので、確実に端子４の振れを抑制することができる。さらに、一対の振れ規制部５３は、端子４をフック５１に通す作業を妨げることがない。
【００２８】
この電気接続箱１においては、図２中の矢印Ｂで示すように、端子４を取り付けたサイドカバー５がボルト３の立設方向に沿ってケース本体２の側面２ｃに装着されることにより、端子４のボルト挿通孔４０にボルト３の軸部３２が通され、端子接続部７１とバスバ接続部４１とが重ねられる。この作業の際は、上述したようにサイドカバー５に対して端子４が振れることがないので、ボルト挿通孔４０の位置がボルト３の軸部３２に対してずれることがなく、スムーズにボルト挿通孔４０に軸部３２が通される。また、該ボルト３にナットが螺合されることにより、端子４がケース本体２に固定されるとともに端子４とバスバ７との接続状態が維持される。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３０】
１  電気接続箱
２  ケース本体
３  ボルト
４  端子
５  サイドカバー
４０  ボルト挿通孔
４３  電線接続部
５１  フック
５３  振れ規制部
【図１】
0005843619.tif 000002
【図２】
0005843619.tif 000003
【図３】
0005843619.tif 000004
【図４】
0005843619.tif 000005
【図５】
0005843619.tif 000006
【図６】
0005843619.tif 000007
【図７】
0005843619.tif 000008
【図８】
0005843619.tif 000009
【図９】
0005843619.tif 000010